(57)【要約】      （修正有）【課題】各種規格に対応した接点の接続が可能な高周波ＡＶコネクタを提供する。【解決手段】高周波ＡＶコネクタにおいて、該コネクタ１の一側の外部の電子製品に接続する突き合わせ接合端部の他側の溶接端部１２に、第１端子グループ１３１、第２端子グループ１３２を上下に配列して設け、これに対するアダプタ２両面にそれぞれ第１表面２１と第２表面２２にそれぞれ、第１端子グループを溶接させる第１接点グループ２１１とジャンパ線路グループ２１３及び第２端子グループを溶接する第２接点グループを設け、該第２接点グループから延長して第１表面２１側のジャンパ線路グループ２１３に接続し、これらを延長して接点リードグループに接続することにより、ケーブル３の芯線に溶接して接続する接点端子を該第１表面２１側に配列して溶接工程を簡素化する。【選択図】図２
0003144002.tif 000002
【実用新案登録請求の範囲】
【請求項１】
コネクタとアダプタから構成され、
該コネクタは、その一端部に外部の電子製品に接続する突き合わせ接合端部を設け、突き合わせ接合端部から離れた他端部側に溶接端部を設け、該溶接端部に第１端子グループ、第２端子グループを上下に配列して設けると共にこれらをコネクタを貫通して該接合端部と接続し、
該アダプタは、表裏をなす第１表面と第２表面の第１表面に第１端子グループを溶接する第１接点グループとジャンパ線グループを配置し、第１接点グループとジャンパ線グループをそれぞれ端部に配列した接点リードに接続し、第２表面には第２端グループを溶接する第２接点グループを配置すると共に該第２接点グループをアダプタを貫通して第１表面側に延長して第１表面のジャンパ線グループに接続した高周波ＡＶコネクタ。
【請求項２】
前記第１端子グループと第２端子グループはそれぞれ平行に配列され、コネクタ内に一体に成型された請求項１記載の高周波ＡＶコネクタ。
【請求項３】
前記アダプタが、ケーブルを接続する多層回路基板から構成された請求項１記載の高周波ＡＶコネクタ。
【請求項４】
前記アダプタに基板を貫通して第１接点グループと第２接点グループを接続する導電孔を設けた請求項１記載の高周波ＡＶコネクタ。
【請求項５】
前記コネクタ外周を金属製の遮蔽殻体で被覆した請求項１記載の高周波ＡＶコネクタ。
【請求項６】
前記コネクタがHDMI高周波コネクタの雄プラグである請求項１記載の高周波ＡＶコネクタ。
【請求項７】
前記コネクタがDisplay Port高周波コネクタの雄プラグである請求項１記載の高周波ＡＶコネクタ。
【請求項８】
前記コネクタがDVI高周波コネクタの雄プラグである請求項１記載の高周波ＡＶコネクタ。
【請求項９】
コネクタ、アダプタおよびケーブルから構成され、
該コネクタは、その一端部に外部の電子製品に接続する突き合わせ接合端部を設け、突き合わせ接合端部から離れた他端部側に溶接端部を設け、該溶接端部に第１端子グループ、第２端子グループを上下に配列して設けると共にこれらをコネクタを貫通して該接合端部と接続し、
該アダプタは、表裏をなす第１表面と第２表面の第１表面に第１端子グループを溶接する第１接点グループとジャンパ線グループを配置し、第１接点グループとジャンパ線グループをそれぞれ端部に配列した接点リードに接続し、第２表面には第２端グループを溶接する第２接点グループを配置すると共に該第２接点グループをアダプタを貫通して第１表面側に延長して第１表面のジャンパ線グループに接続し、
該ケーブルの芯線は、アダプタの接点リードグループに適合して溶接される高周波ＡＶコネクタ。
【請求項１０】
前記第１端子グループと第２端子グループは平行に配列され、コネクタ内に一体に成型される請求項９記載の高周波ＡＶコネクタ。
【請求項１１】
前記アダプタは、ケーブルを接続する多層回路基板から構成される請求項９記載の高周波ＡＶコネクタ。
【請求項１２】
前記アダプタに基板を貫通して第１接点グループと第２接点グループを接続する導電孔を設けた請求項９記載の高周波ＡＶコネクタ。
【請求項１３】
前記コネクタ外周を金属製の遮蔽殻体で被覆した請求項９記載の高周波ＡＶコネクタ。
【請求項１４】
前記コネクタがHDMI高周波コネクタの雄プラグある請求項９記載の高周波ＡＶコネクタ。
【請求項１５】
前記コネクタがDisplay Port高周波コネクタの雄プラグある請求項９記載の高周波ＡＶコネクタ。
【請求項１６】
前記コネクタがDVI高周波コネクタの雄プラグである請求項９記載の高周波ＡＶコネクタ。
【請求項１７】
前記ケーブルの芯線が扁平配線型式である請求項９記載の高周波ＡＶコネクタ。
【考案の詳細な説明】
【技術分野】
【０００１】
本考案は、高周波デジタルAVコネクタに関し、コネクタの溶接端部にアダプタを結合し、且つアダプタ上の第１表面には、それぞれ第１端子グループに対応して接続して溶接する第１接点グループとジャンパ線路グループを設け、第１接点グループとジャンパ線路グループを他側の接点リードグループに接続し、ケーブル端部面を溶接し、アダプタ上の第２表面は、第２端子グループを溶接し、ジャンパ線路グループに接続する第２接点グループを設け、加工、大量生産製造の自動化、組み立て時間の限縮および経済利益に適合する効果を有する高周波デジタルAVコネクタに関する。
【背景技術】
【０００２】
近年、聴覚信号および視覚信号の応用領域は益々進歩し、例えば、ビデオ光ディスク、デジタル化多機能光ディスク、高解像度デジタルテレビ、ビデオ電話および視覚情報会議等があり、何れも我々の生活中に迅速に浸透しつつある。従来の技術と比べ、これらの新しい系統の構造の特長は、全デジタル化により音声及び映像の信号を処理し、異なる分野の応用の需要に応じて、関連の標準も絶え間なく制定、修正、更新され、使用者により高い品質を享受させるため、そのデジタル信号伝送（信号は圧縮を経ていない）速度において、より完全、迅速であることが必須とされている。
【０００３】
これらのうち、Display Port、DVI 及びHDMIは、いずれもデジタル視覚情報インターフェイス標準に属し、デジタル化された信号の伝送を介して電子設備が表示する画面品質を向上し、アダプタ、セットトップボックス、ＤＶＤプレイヤー、パソコン、テレビゲーム機器、総合拡大機、及びデジタルＡＶ機器等の設備に接続することができ、伝送速度が高く、遠距離を結んで高品質を維持し、徐々に大衆に普及し、使用者の需要に応じて選択使用されるようになっている。
【特許文献１】特開２００２−１５７０５６号公報
【考案の開示】
【考案が解決しようとする課題】
【０００４】
Display Port、DVI及びHDMIの高周波コネクタが使用するケーブルの多くは、円型または平型のケーブル構造であり、且つケーブル内の伝送線と高周波コネクタ内の端子とを溶接接続するには、コネクタ上に設置される回路板を介してケーブル端部を接続するが、通常高周波コネクタの上下に配列された端子の定義、回路板上の接点、ケーブル伝送線のピン位置の定義が異なり、伝送線が回路板上に突き合わせられる時、そのケーブルヘッドは、接点が相対するピン位置状況に従って接続される必要があり、ケーブルの端部の組み立てに当たって伝送線の一本一本を回路板上の整合する接点に突き合わせる必要があり、このため伝送線の一部を1ブロックに巻き付ける必要があり、そうして初めて対応且つ整合した接点を検出でき、溶接作業を行うことができるので、加工工程が煩雑であり、且つ組み立て時間が長くなる問題を発生し、組み立てコストを増加させ、加工を自動化できない欠点を有し、同時に伝送線を交互に巻きつけるため、その信号伝送品質は、良好ではない。
【０００５】
従って、上記従来の欠陥と不便を如何に解決するかが、当業者が研究改善を望まれる所である。
【課題を解決するための手段】
【０００６】
本考案の目的は、コネクタ内に上下に配列された第１端子グループ、第２端子グループを設け、アダプタの第１表面にそれぞれ第１端子グループを溶接する第１接点グループとジャンパ線路グループを設け、第２接点グループとジャンパ線路グループを他側の接点リードグループに接続する配列を構成し、ケーブル端部面を溶接し、アダプタの第２表面に第２端子グループを溶接し、アダプタを貫通してジャンパ線路グループと接続する第２接点グループを設けることにより、加工の自動化、大量生産製造、組み立て時間の短と経済利益への適合の効果を達成することである。
【０００７】
本考案のもう１つの目的は、ケーブルが扁平配線型式を形成する高周波信号線と高周波コネクタ上のアダプタとを接続し、ケーブルの芯線が直接アダプタの一側の線材の接点と整合して突き合わせられ、自動溶接治具を利用し、単面溶接作業を行うことができ、加工の自動化、大量生産製造、組み立てコスト低減、生産能力向上および伝送信号品質向上の効果を有することである。
【考案の効果】
【０００８】
本考案の高周波デジタルAVコネクタが従来の技術を改善する鍵は以下のようである。本考案は、アダプタ２の両面にそれぞれ配置された第１接点グループ２１１、第２接点グループ２２１がコネクタ１上下に配列された第１端子グループ１３１、第２端子グループ１３２のピン位置に位置合わせでき、且つ第１接点グループ２１１と同一側のジャンパ線路グループ２１３が他側の接点リードグループ２１２に接続して配列され、これにケーブル３の端部面を溶接する。この構造によって、接点構造を2列から1列に転換して形成した接点を溶接点として、自動溶接治具によって溶接作業を行うことができ、自動化された大量生産を実現し、生産能力を向上し、コストを低減し、伝送信号品質を良好にする効果を達成する。
【考案を実施するための最良の形態】
【０００９】
上記の目的及び効果を達成するため、本考案が採用する構造の技術的特徴及びその効果を理解し易くするため、図面及び本考案の実施例により以下にその特徴および機能を説明する。
【００１０】
図１、図２、図３、図４は、本考案の立体概観図、立体分解図、他の視角から見た立体分解図およびピン位置回路図であり、図からわかるように、本考案の高周波デジタルＡＶコネクタは、コネクタ１、アダプタ２、ケーブル３から構成される。これらのうち、該コネクタ１の一側は、電子製品（図示せず）を接続する突き合わせ接合端部１１を設け、突き合わせ接合端部１１の他側に溶接端部１２を設け、且つコネクタ１内に導電端子グループ１３を設ける。導電端子グループ１３は、上下に配列された、平行配列状を呈する第１端子グループ１３１、第２端子グループ１３２からな、且つ第１、第２端子グループ１３１，１３２は、溶接端部１２を貫通して突き合わせ接合端部１１と突き合わせ接合する。
該アダプタ２上にそれぞれ第１表面２１、第２表面２２を具え、第１表面２１上に第１端子グループ１３１に対応して位置決め溶接する第１接点グループ２１１を設け、第２表面２２上に第２端子グループ１３２に対応して位置決め溶接する第２接点グループ２２１を設け、さらに第１接点グループ２１１にはアダプタ２を貫通して第２表面２２の第２接点グループ２２１から延長して電気的接触するジャンパ線グループ２１３を設ける。
また、第１接点グループ２１１には、ケーブル３の芯線３１の予め定められたピン位置に整合して位置決め溶接する接点リードグループ２１２を延長して設ける（図１参照）。
【００１１】
上記の第１端子グループ１３１、第２端子グループ１３２は、コネクタ１内に貫通して他端部側に連通し、且つ第１端子グループ１３１、第２端子グループ１３２は、コネクタ１内でその配置を保って直接コネクタ１と一体に成型されて構成される。
【００１２】
本考案の高周波デジタルコネクタを組み立てる時、先ずアダプタ２をコネクタ１の溶接端部１２に整合して組み立てを行い、アダプタ２の第１表面２１を溶接端部１２上の第１端子グループ１３１に対応させ、且つ第１表面２１の第１接点グループ２１１と第１端子グループ１３１を相互に位置を対応させて接触させ（図５参照）、この時、該アダプタ２の第２表面２２は、同時に溶接端部１２上の第２端子グループ１３２に対応する。第２表面２２の第２接点グループを第２端子グループ１３２と相互に位置を対応させて接触させ、その後、アダプタ２の接点リードグループ２１２をケーブル３の予め配列を定められた芯線３１に位置に対応させて接触させる（図６に示すように）。このようにして本考案のグループみ立て構造レイアウトを完成することができる。
【００１３】
上記のように、コネクタ１の導電端子グループ１３がアダプタ２の複数の接点と整合し、且つアダプタ２の接点リードグループ２１２がケーブル３の予め配列を定められた芯線３１と整合した後、自動溶接治具により、端部面溶接作業を行うことによって、自動化された大量生産を実現し、生産性を向上し、コストを低減する効果を達成することができる。
【００１４】
本考案の高周波デジタルコネクタのコネクタ１の突き合わせ接合端部１１が電子製品に接続して信号の伝送を行う時、アダプタ２上に金属接地面２３を設けて、アダプタ２上下表面の各種伝送回路が信号伝送時に発生する干渉を遮断し（図２参照）、クロストークノイズの発生を低減し、且つアダプタ２自身も電磁波遮断効果を有するので、アダプタ２が上下表面の各伝送回路の相互干渉を遮断することにより、より明確な効果を有することができる。
【００１５】
図７に示すように、本考案のコネクタ１内の導電端子グループ１３上下に配列する第１端子グループ１３１、第２端子グループ１３２間の距離は、アダプタ２の厚さに合せて、且つ溶接端部１２の上下に露出して配列する端子が水平配列状であるように構成でき、アダプタ２が上下配列端子間に整合して組み立てを行う時、各端子をアダプタ２上下表面の接点に整合させることができ、一々加工動作により上下配列端子をアダプタ２上下表面の接点に個々に整合させる必要がなく、より簡単な組み立て作業によって整合動作を完成し、溶接作業を行うことができ、自動化された大量生産を実現し、生産能力を向上させ、生産コストを低減する効果を達成する。
【００１６】
また、本考案のアダプタ２上に第１接点グループ２１１と第２接点グループ２２１を接続する導電孔２４を設け、且つ導電孔２４は、第２接点グループ２１１のジャンパ線路グループ２１３末端部に設置され、アダプタ２を貫通して第２接点グループ２２１を接続し、導電孔２４を介して、予め設けたケーブル３中の接地導線のクロストークノイズを金属接地面２３に導入して除去し（図２，図３参照）、信号を、高周波コネクタを介して電子製品に伝導する時、該信号が非常に明晰に保ち、電子製品により完全な画面を再生させることができる。
【００１７】
また、本考案のアダプタ２は、多層の回路板から構成され、第１表面２１の第１接点グループ２１１を、回路板間のケーブルを介して第２表面２２上の第２接点グループ２２１に接続させることもでき、その他の簡易な変更によって同等な効果を有する構造の変化は、何れも本考案の特許範囲内に含まれるべきである。
【００１８】
上記説明のコネクタ１外に更に金属製の遮蔽殻体１４を被覆することができ（図２参照）、外界電磁波の干渉を防止し、且つ本考案は、雄プラグの高周波コネクタの使用を例としているが、本考案の実際の応用においては雄プラグの使用に限定するものではなく、本考案のコネクタ構造を雌プラグに応用することもできる。
【００１９】
上記のように、本考案の高周波コネクタ１は、Display Port、DVIまたはHDMIのコネクタ等の型式であり、DVI等の規格のコネクタである時は、3列の少なくとも24端子ピンであり、Display Portのコネクタとしては、2列の20端子ピンであり、HDMIのコネクタとしては、2列の19端子ピンとし、何れもアダプタ２の設計が対応する接点を介して整合することができ、その端子ピンは、相互に錯綜して開き、挿入ピン式またはSMT等の型式の構造に構成するだけでよい。
【００２０】
また、本考案のケーブル３は、扁平配線型式の高周波信号線と高周波コネクタ１上のアダプタ２との接続を形成でき、ケーブル３の芯線３１が直接アダプタ２の位置側の接点リードグループ２１２と整合して突き合わせ接合される時、自動溶接治具によって単面溶接加工を行うことができ、加工の自動化、大量生産製造、グループみ立てコストの低減、生産能力の向上および伝送信号品質の向上を達成することができる。
【００２１】
従って、本考案は、高周波デジタルＡＶコネクタのコネクタ1とケーブル３の間にアダプタ２を用いて位置を対応させて溶接し、アダプタ２とコネクタ１の端部またはアダプタ２とケーブル３の端部を対応するピン位置モジュール化して構成し、コネクタ１またはケーブル３の接点を任意に変更させて、アダプタ２を介して突き合わせ接合させることができ、同時にケーブル３を扁平配線型式に使用し、ケーブル３の芯線３１が形式の異なるピン位置の規格に設計される時、アダプタ２の接点リードグループ２１２を規格に対応するよう構成することで整合させて使用でき、芯線３１のピン位置定義をコネクタ１内の上下に配列された端子ピン位置定義に適合させて位置を合わせて、端部面溶接を行う。このようにして適用性、拡張性、市場需要性が比較的高く、モジュール化した生産性に適し、コストを大幅に削減し、付加価値を向上させる効果を有し、接点リードグループ２１２のピン位置が異なることによって芯線３１を交差させ巻きつけ位置合わせ溶接する状況を回避し、グループみ立て時間を効率的に迅速にし、直接位置合わせし溶接を行うことができる。
【００２２】
本考案の保護の重点は、アダプタ２上に第１表面２１、第２表面２２を有し、第１表面２１がそれぞれコネクタ１の第１端子グループ１３１に対応して溶接する第１接点グループ２１１とジャンパ線路グループ２１３を設け、第１接点グループ２１１とジャンパ線路グループ２１３を他側の接点リードグループ２１２に接続して配列させてケーブル３単面を溶接し、第２表面２２には、第２端子グループ１３２を溶接する第２接点グループ２２１を設け、且つ第２接点グループ２２１は、アダプタ２を貫通して第１表面２１のジャンパ線路グループ２１３上に接続して電気的接続を形成するようにし、これによりアダプタ２の構造設計は、加工を自動化し、大量生産製造、組み立て時間の縮減、経済利益に適合の効果を有することができる。本考案が採用する原理の運用および同等の効果を有する構造の変化は、いずれも本考案の特許範囲のであるべきである。
【００２３】
従って、本考案の高周波デジタルAVコネクタが従来の技術を改善する鍵は、以下のようである。本考案は、アダプタ２の第１接点グループ２１１、第２接点グループ２２１がコネクタ１上下に配列された第１端子グループ１３１、第２端子グループ１３２のピン位置に位置合わせでき、且つ第１接点グループ２１１と同一側のジャンパ線グループ２１３が他側の接点リードグループ２１２に接続されて配列され、これに対してケーブル３の端部面の端子を溶接することにより、2列の配列を1列に転換した溶接点の構造を形成でき、その後、自動溶接治具を用いて溶接作業を行うことができ、自動化された大量生産を実現し、生産能力を向上し、コストを低減し、伝送信号品質を良好にする効果を達成する。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２５】
【図１】本考案の立体外観図である。
【図２】本考案の立体分解図である。
【図３】本考案の別視角の立体分解図である。
【図４】本考案のピン位置回路図である。
【図５】本考案の組み立て時の側面断面図である。
【図６】本考案の組み立て後の側面断面図である。
【図７】本考案のもう１つの実施例の立体分解図である。
【符号の説明】
【００２６】
１  コネクタ
１１  突き合わせ接合端部
１２  溶接端部
１３  導電端子グループ
１３１  第１端子グループ
１３２  第２端子グループ
１４  遮蔽殻体
２  アダプタ
２１  第１表面
２１１  第１接点グループ
２１２  接点リードグループ
２１３  ジャンパ線路グループ
２２  第２表面
２２１  第２接点グループ
２３  金属接地面
２４  導電孔
３  ケーブル
３１  芯線
【図１】
0003144002.tif 000003
【図２】
0003144002.tif 000004
【図３】
0003144002.tif 000005
【図４】
0003144002.tif 000006
【図５】
0003144002.tif 000007
【図６】
0003144002.tif 000008
【図７】
0003144002.tif 000009
【手続補正書】
【提出日】平成20年6月11日(2008.6.11)
【手続補正１】
【補正対象書類名】実用新案登録請求の範囲
【補正対象項目名】請求項６
【補正方法】変更
【補正の内容】
【請求項６】
前記コネクタがＨＤＭＩ（登録商標）高周波コネクタの雄プラグである請求項１記載の高周波ＡＶコネクタ。
【手続補正２】
【補正対象書類名】実用新案登録請求の範囲
【補正対象項目名】請求項１４
【補正方法】変更
【補正の内容】
【請求項１４】
前記コネクタがＨＤＭＩ（登録商標）高周波コネクタの雄プラグある請求項９記載の高周波ＡＶコネクタ。
【手続補正３】
【補正対象書類名】明細書
【補正対象項目名】０００３
【補正方法】変更
【補正の内容】
【０００３】
これらうち、Display Port、DVI 及びＨＤＭＩ（登録商標）は、いずれもデジタル視覚情報インターフェイス標準に属し、デジタル化された信号の伝送を介して電子設備が表示する画面品質を向上し、アダプタ、セットトップボックス、ＤＶＤプレイヤー、パソコン、テレビゲーム機器、総合拡大機、及びデジタルＡＶ機器等の設備に接続することができ、伝送速度が高く、遠距離を結んで高品質を維持し、徐々に大衆に普及し、使用者の需要に応じて選択使用されるようになっている。
【手続補正４】
【補正対象書類名】明細書
【補正対象項目名】０００４
【補正方法】変更
【補正の内容】
【０００４】
Display Port、DVI及びＨＤＭＩ（登録商標）の高周波コネクタが使用するケーブルの多くは、円型または平型のケーブル構造であり、且つケーブル内の伝送線と高周波コネクタ内の端子とを溶接接続するには、コネクタ上に設置される回路板を介してケーブル端部を接続するが、通常高周波コネクタの上下に配列された端子の定義、回路板上の接点、ケーブル伝送線のピン位置の定義が異なり、伝送線が回路板上に突き合わせられる時、そのケーブルヘッドは、接点が相対するピン位置状況に従って接続される必要があり、ケーブルの端部の組み立てに当たって伝送線の一本一本を回路板上の整合する接点に突き合わせる必要があり、このため伝送線の一部を1ブロックに巻き付ける必要があり、そうして初めて対応且つ整合した接点を検出でき、溶接作業を行うことができるので、加工工程が煩雑であり、且つ組み立て時間が長くなる問題を発生し、組み立てコストを増加させ、加工を自動化できない欠点を有し、同時に伝送線を交互に巻きつけるため、その信号伝送品質は、良好ではない。
【手続補正５】
【補正対象書類名】明細書
【補正対象項目名】００１９
【補正方法】変更
【補正の内容】
【００１９】
上記のように、本考案の高周波コネクタ１は、Display Port、DVIまたはＨＤＭＩ（登録商標）のコネクタ等の型式であり、DVI等の規格のコネクタである時は、3列の少なくとも24端子ピンであり、Display Portのコネクタとしては、2列の20端子ピンであり、ＨＤＭＩ（登録商標）のコネクタとしては、2列の19端子ピンとし、何れもアダプタ２の設計が対応する接点を介して整合することができ、その端子ピンは、相互に錯綜して開き、挿入ピン式またはSMT等の型式の構造に構成するだけでよい。